(57)【要約】【課題】複数の固定部をできるだけ近づけて配置する。【解決手段】本発明は、電線Ｗを固定する固定部と、金属平板に貫通する形態で取付孔が設けられてなる接続部と、を備えて構成された端子金具において、取付孔が同軸をなすように複数の接続部を積層し、取付孔を中心として積層方向に隣接する一対の接続部を相対的に回動させることにより複数の端子金具が積層状態に連結され、複数の取付孔に共通のボルトを挿通させ一括してボルト締結することにより複数の端子金具が互いに接続されるようになっている端子金具の接続構造であって、複数の固定部１３，２３，３３，４３は同一方向に引き出されており、複数の接続部のうち積層方向に隣接する一対の接続部１２，２２（３２，４２）を除く一対の接続部１２，３２（２２，４２）に連なる一対の固定部１３，３３（２３，４３）は、積層方向に並んで配置されている構成としたところに特徴を有する。【選択図】図１６
2012084342.tif 000002
【特許請求の範囲】
【請求項１】
電線を固定する固定部と、金属平板に貫通する形態で取付孔が設けられてなる接続部と、を備えて構成された端子金具において、前記取付孔が同軸をなすように複数の前記接続部を積層し、積層方向に隣接する一対の前記接続部を相対的に回動させることにより複数の前記端子金具が積層状態に連結され、複数の前記取付孔に共通のボルトを挿通させ一括してボルト締結することにより複数の前記端子金具が互いに接続されるようになっている端子金具の接続構造であって、
複数の前記固定部は同一方向に引き出されており、複数の前記接続部のうち積層方向に隣接する一対の前記接続部を除く一対の接続部に連なる一対の前記固定部は、積層方向に並んで配置されていることを特徴とする端子金具の接続構造。
【請求項２】
任意のＮ層に位置するＮ層の前記接続部に連なる前記固定部は、同接続部と共通の基板部を有しこの基板部から積層方向に突出する形態をなし、その突出寸法は、Ｎ＋１層の前記接続部の板厚と同じかこれより小さめに設定されていることを特徴とする請求項１に記載の端子金具の接続構造。
【請求項３】
Ｎ層の前記固定部とＮ＋２層の前記固定部とが積層方向に並んで配置されているものにおいて、前記Ｎ層の固定部と前記Ｎ＋１層の固定部とは、前記取付孔の径方向および積層方向の双方に直交する方向に並んで配置されていることを特徴とする請求項１または請求項２に記載の端子金具の接続構造。
【請求項４】
前記Ｎ層の固定部と前記Ｎ＋１層の固定部とは、前記取付孔の軸心から径方向に延びる基準線に関してそれぞれ反対側にオフセットして配置されていることを特徴とする請求項３に記載の端子金具の接続構造。
【発明の詳細な説明】
【技術分野】
【０００１】
本発明は、端子金具の接続構造に関する。
【背景技術】
【０００２】
従来、ボルトが挿通される取付孔を有する複数の端子金具を積層し、一括してボルト締結することにより各端子金具が積層状態に固定される端子金具の接続構造として、例えば下記特許文献１に記載のものが知られている。この端子金具は、金属平板からなる接続部を有し、この接続部の板厚方向に貫通する形態で取付孔が設けられた構成とされている。取付孔が同軸をなすように各接続部を積層状態に配置し、これらの取付孔に共通のボルトを挿通させ一括してボルト締結することで各端子金具が導通可能に接続され、かつ積層状態に固定されている。一方、接続部の後方には、電線の端末に圧着される固定部が設けられている。
【先行技術文献】
【特許文献】
【０００３】
【特許文献１】特開２０００−３０６６１４号公報
【発明の概要】
【発明が解決しようとする課題】
【０００４】
ところで、上記の固定部は接続部と同一平面をなす基板部から立ち上がる一対のバレル片を備えた構成とされ、両バレル片を折り返すことで電線の芯線に圧着されている。このため、圧着後における固定部の高さ寸法は、接続部の板厚よりも大きくなっており、各固定部を積層方向に並べて配置しようとすると、各固定部が干渉してしまう。この干渉を避けるため、取付孔を中心として放射状に広がるように各固定部を配置しているものの、これでは各固定部の設置スペースを広く確保する必要がある。しかしながら、端子金具が取り付けられる環境によっては広い設置スペースを確保できない場合がある。
【０００５】
本発明は上記のような事情に基づいて完成されたものであって、複数の固定部をできるだけ近づけて配置することを目的とする。
【課題を解決するための手段】
【０００６】
本発明は、電線を固定する固定部と、金属平板に貫通する形態で取付孔が設けられてなる接続部と、を備えて構成された端子金具において、取付孔が同軸をなすように複数の接続部を積層し、積層方向に隣接する一対の接続部を相対的に回動させることにより複数の端子金具が積層状態に連結され、複数の取付孔に共通のボルトを挿通させ一括してボルト締結することにより複数の端子金具が互いに接続されるようになっている端子金具の接続構造であって、複数の固定部は同一方向に引き出されており、複数の接続部のうち積層方向に隣接する一対の接続部を除く一対の接続部に連なる一対の固定部は、積層方向に並んで配置されている構成としたところに特徴を有する。
【０００７】
このような構成によると、各固定部を放射状に配置することなく同一方向に引き出すことができ、かつ積層方向に隣接しない任意の端子金具の固定部同士を積層方向に並べて配置することができるため、複数の固定部をできるだけ近づけて配置することができる。
【０００８】
本発明の実施の態様として、以下の構成が好ましい。
任意のＮ層に位置するＮ層の接続部に連なる固定部は、同接続部と共通の基板部を有しこの基板部から積層方向に突出する形態をなし、その突出寸法は、Ｎ＋１層の接続部の板厚と同じかこれより小さめに設定されている構成としてもよい。
このような構成によると、例えば第一層の接続部の上面に第二層の接続部を積層し、第二層の接続部の上面に第三層の接続部を積層した際に、第一層の固定部と第三層の固定部とを積層方向に並べて配置することができる。
【０００９】
Ｎ層の固定部とＮ＋２層の固定部とが積層方向に並んで配置されているものにおいて、Ｎ層の固定部とＮ＋１層の固定部とは、取付孔の径方向および積層方向の双方に直交する方向に並んで配置されている構成としてもよい。
このような構成によると、例えば第一層の固定部と第三層の固定部とを積層方向に並べて配置することができることに加えて、第一層の固定部と第二層の固定部とを取付孔の径方向および積層方向の双方に直交する方向に並べて配置することができる。したがって、複数の固定部をより近づけて配置することができる。
【００１０】
Ｎ層の固定部とＮ＋１層の固定部とは、取付孔の軸心から径方向に延びる基準線に関してそれぞれ反対側にオフセットして配置されている構成としてもよい。
このような構成によると、例えば第一層の固定部と第二層の固定部とを基準線に関して左右対称に配置することができる。
【発明の効果】
【００１１】
本発明によれば、複数の固定部をできるだけ近づけて配置することができる。
【図面の簡単な説明】
【００１２】
【図１】実施形態の第一端子金具を示す斜視図
【図２】第二端子金具を示す斜視図
【図３】第三端子金具を示す斜視図
【図４】第四端子金具を示す斜視図
【図５】４つの端子金具が積層された端子接続構造を示す平面図
【図６】図５におけるＡ−Ａ線断面図
【図７】端子接続構造を固定部側から見た背面図
【図８】端子接続構造の側面図
【図９】端子接続構造を回り止め部側から見た正面図
【図１０】第一端子金具に第二端子金具を組み付けた状態を示す斜視図
【図１１】図１０の状態から固定部が同一方向を向くように第二端子金具を回動させた状態を示す斜視図
【図１２】第二端子金具に第三端子金具を組み付けた状態を示す斜視図
【図１３】図１２の状態から固定部が同一方向を向くように第三端子金具を回動させた状態を示す斜視図
【図１４】第三端子金具に第四端子金具を組み付けた状態を示す斜視図
【図１５】図１４の状態から固定部が同一方向を向くように第四端子金具を回動させた状態を示す斜視図
【図１６】各取付孔にボルトを挿通した状態を示す斜視図
【図１７】図１６の各取付孔を側方から見た断面図
【図１８】図１７の状態から回り止め部を固定孔に差し込んで一括してボルト締結した状態を示す断面図
【図１９】第一端子金具に第四端子金具を組み付けて回動させた状態を示す斜視図
【図２０】図１９の状態から回り止め部を固定孔に差し込んで一括してボルト締結した状態を示す断面図
【図２１】第一端子金具のみをボルト締結した状態を示す断面図
【発明を実施するための形態】
【００１３】
＜実施形態＞
（全体構成）
本発明の実施形態を図１ないし図２１の図面を参照しながら説明する。本実施形態では、図１８に示すように、下から順に第一端子金具１０、第二端子金具２０、第三端子金具３０、および第四端子金具４０を積層状態に連結させた積層体５０を端子台６０上に配置し、ボルトＢとナットＮを用いて一括してボルト締結してなる端子金具の接続構造を例示している。本実施形態の端子台６０は板状をなし、ボルトＢが挿通される挿通孔６１と、この挿通孔６１よりも小径の規制孔６２とを備えて構成されている。両孔６１，６２は、いずれも端子台６０を板厚方向に貫通して形成されている。
【００１４】
端子台６０の上面には第一端子金具１０が配置されており、この第一端子金具１０には規制孔６２に嵌って第一端子金具１０を回り止めする規制片１５が一体に形成されている。この規制片１５は、第一端子金具１０の外縁から端子台６０の上面に沿って延びた後、規制孔６２を貫通し、再び端子台６０の下面に沿って延びるクランク状に形成されている。規制片１５は、規制孔６２の内壁に対して挿通孔６１の周方向に係止可能とされている。これにより、積層体５０が端子台６０に対して回り止めされている。
【００１５】
ナットＮは、端子台６０の下側に配置されている一方、このナットＮに螺合可能なボルトＢは、端子台６０の上側に配置されている。したがって、ボルトＢをナットＮに螺合させることにより、積層体５０と端子台６０がボルトＢとナットＮとの間で積層方向に狭圧されるようになっている。また、規制片１５を規制孔６２に嵌合させた状態では、ボルトＢの締め込みに伴って積層体５０が連れ回りすることが規制されている。
【００１６】
（第一端子金具）
第一端子金具１０は、図１に示すように、母材となる金属平板を所定の形状に打ち抜いて曲げ加工を施すことにより形成されており、取付孔１１が設けられた板状の接続部１２と、電線Ｗを固定している固定部１３とを備えて構成されている。取付孔１１は、接続部１２をその板厚方向に貫通して形成されており、ボルトＢが挿通可能な孔径とされている。
【００１７】
接続部１２と固定部１３は取付孔１１の径方向に連なっており、共通の基板部１４を有している。この基板部１４は、一枚の金属平板からなる一層構造とされている。
【００１８】
固定部１３は、基板部１４の両側縁から立ち上がる一対のワイヤバレル片１３Ａと、このワイヤバレル片１３Ａよりも取付孔１１から離れた位置にて基板部１４の両側縁から立ち上がる一対のインシュレーションバレル片１３Ｂとを備えている。両ワイヤバレル片１３Ａは電線Ｗの端末に露出された芯線に圧着されているものの、両インシュレーションバレル片１３Ｂは電線Ｗの被覆に圧着されている。これにより、電線Ｗが固定部１３に固定され、第一端子金具１０が電線Ｗに導通可能に接続されている。
【００１９】
また、固定部１３は、基板部１４の上面から上方に突出する形態とされている。固定部１３が基板部１４の上面から上方に突出する突出寸法は、金属平板二枚分の板厚とされている。
【００２０】
接続部１２の周縁における取付孔１１を中心として対称となる位置には、一対の連結部１２Ａが形成されている。連結部１２Ａは、接続部１２の周縁から上方に立ち上がった後、接続部１２の上面と対向するようにＬ字状に折り曲げられた形態とされている。連結部１２Ａと接続部１２が対向する両対向面間の距離は、金属平板一枚分の板厚と同じである。
【００２１】
接続部１２の周縁において両連結部１２Ａと隣接する位置には、一対の受け板部１２Ｂが設けられている。受け板部１２Ｂは、対応する連結部１２Ａに連なる配置とされている。また、両受け板部１２Ｂは、取付孔１１を中心として対称となる位置に設けられている。受け板部１２Ｂにおいて連結部１２Ａから離れた側の端部には、テーパ状の誘導斜面が形成されている。
【００２２】
接続部１２における取付孔１１と規制片１５との中間位置には、係止爪１６が形成されている。この係止爪１６は、接続部１２の一部を切り起こすことで形成され、片持ち状をなして上方に突出する形態をなしている。また、係止爪１６は、取付孔１１を上方から見て時計回り方向に突出している。
【００２３】
（第二端子金具）
第二端子金具２０は、図２に示すように、第一端子金具１０と同様に、母材となる金属平板を所定の形状に打ち抜いて曲げ加工を施すことにより形成されており、取付孔２１が設けられた板状の接続部２２と、電線Ｗを固定している固定部２３とを備えて構成されている。なお、第二端子金具２０の構成のうち第一端子金具１０と対応する構成については、第一端子金具１０と同一の名称を用いるとともに十の桁を１から２に変更した符号を用いるものとする。なお、固定部２３については、第一端子金具１０の固定部１３と同様の構成であるため、その説明を省略する。
【００２４】
接続部２２は、金属平板を折り返すことで形成された二層構造とされている。接続部２２を構成する下側の金属平板の周縁には、一対の受け板部２２Ｂが形成されている。両受け板部２２Ｂは、第一端子金具１０と第二端子金具２０が積層された状態において第一端子金具１０の両連結部１２Ａと積層方向に対応する位置に設けられている。受け板部２２Ｂにおける連結部２２Ａ側の端部には、テーパ状の誘導斜面が形成されている。
【００２５】
このため、図１０に示すように、両取付孔１１，２１が同軸をなすように第一端子金具１０の接続部１２の上面に第二端子金具２０の接続部２２を積層し、図１１に示すように、両取付孔１１，２１を中心として接続部２２を時計回り方向に回動させると、各受け板部２２Ｂが、連結部１２Ａの下面と接続部１２の上面との間に進入可能とされている。このとき、両受け板部２２Ｂが両連結部１２Ａと積層方向に係止することにより、両接続部１２，２２が積層状態に連結される。
【００２６】
接続部２２と固定部２３は取付孔２１の径方向に連なっており、共通の基板部２４を有している。この基板部２４は、接続部２２を構成する上側の金属平板と面一で一体に形成されている。また、基板部２４の周縁に、一対の連結部２２Ａが形成されている。さらに、両連結部２２Ａの並び方向と両受け板部２２Ｂの並び方向とは、略直交する配置とされている。
【００２７】
また、第一端子金具１０の両連結部１２Ａと第二端子金具２０の両連結部２２Ａとは、両取付孔１１，２１の軸心から径方向に延びる基準線Ｌ（図５参照）に関して左右対称に配置されている。同じく、第一端子金具１０の両受け板部１２Ｂと第二端子金具２０の両受け板部２２Ｂとは、基準線Ｌに関して左右対称に配置されている。
【００２８】
接続部２２を構成する上下一対の金属平板は、タブ状をなす曲げ部２５によって連結されている。この曲げ部２５を構成する上側の金属平板には係止爪２６が切り起こしにより形成されており、同下側の金属平板には係止孔２７が貫通して形成されている。係止爪２６と係止孔２７は、積層方向に並んで配置されている。
【００２９】
第二端子金具２０の係止孔２７は、図６に示すように、第一端子金具１０と第二端子金具２０が積層された状態において第一端子金具１０の係止爪１６と嵌合している。具体的には、第一端子金具１０の接続部１２の上面に第二端子金具２０の接続部２２を積層し、取付孔２１を中心として接続部２２を時計回り方向に回動させると、係止爪１６が下方に撓んだ状態で接続部２２の下面に摺接し、係止爪１６が係止孔２７の位置に至ると、係止爪１６が弾性的に復帰して係止孔２７に嵌合可能とされている。このとき、係止爪１６と係止孔２７の内壁が回動方向に係止することにより、両接続部１２，２２が回り止めされた状態に保持される。
【００３０】
（第三端子金具）
第三端子金具３０は、図３に示すように、第二端子金具２０と同様に、母材となる金属平板を所定の形状に打ち抜いて曲げ加工を施すことにより形成されており、取付孔３１が設けられた板状の接続部３２と、電線Ｗを固定している固定部３３とを備えて構成されている。なお、第三端子金具３０の構成のうち第二端子金具２０と対応する構成については、第二端子金具２０と同一の名称を用いるとともに十の桁を２から３に変更した符号を用いるものとする。なお、固定部３３については、第一端子金具１０の固定部１３と同様の構成であるため、その説明を省略する。
【００３１】
接続部３２は、金属平板を折り返すことで形成された二層構造とされている。接続部３２を構成する下側の金属平板の周縁には、一対の受け板部３２Ｂが形成されている。両受け板部３２Ｂは、第二端子金具２０と第三端子金具３０が積層された状態において第二端子金具２０の両連結部２２Ａと積層方向に対応する位置に設けられている。受け板部３２Ｂにおいて連結部３２Ａから離れた側の端部には、テーパ状の誘導斜面が形成されている。
【００３２】
このため、図１２に示すように、両取付孔２１，３１が同軸をなすように第二端子金具２０の接続部２２の上面に第三端子金具３０の接続部３２を積層し、図１３に示すように、両取付孔２１，３１を中心として接続部３２を反時計回り方向に回動させると、各受け板部２２Ｂが、連結部２２Ａの下面と接続部２２の上面との間に進入可能とされている。このとき、両受け板部３２Ｂが両連結部２２Ａと積層方向に係止することにより、両接続部２２，３２が積層状態に連結される。
【００３３】
また、図３に示すように、接続部３２と固定部３３は取付孔３１の径方向に連なっており、共通の基板部３４を有している。この基板部３４は、接続部３２を構成する上側の金属平板と面一で一体に形成されている。また、基板部３４の周縁に、一対の連結部３２Ａが形成されている。さらに、両連結部３２Ａの並び方向と両受け板部３２Ｂの並び方向とは、略直交する配置とされている。
【００３４】
また、第二端子金具２０の両連結部２２Ａと第三端子金具３０の両連結部３２Ａとは、基準線Ｌに関して左右対称に配置されている。同じく、第二端子金具２０の両受け板部２２Ｂと第三端子金具３０の両受け板部３２Ｂとは、基準線Ｌに関して左右対称に配置されている。なお、第一端子金具１０の両連結部１２Ａと第三端子金具３０の両連結部３２Ａとは、図８および図９に示すように、積層方向に並んで配置されている。
【００３５】
接続部３２を構成する上下一対の金属平板は、タブ状をなす曲げ部３５によって連結されている。この曲げ部３５を構成する上側の金属平板には係止爪３６が切り起こしにより形成されており、同下側の金属平板には係止孔３７が貫通して形成されている。係止爪３６と係止孔３７は、積層方向に並んで配置されている。
【００３６】
第三端子金具３０の係止孔３７は、図６に示すように、第二端子金具２０と第三端子金具３０が積層された状態において第二端子金具２０の係止爪２６と嵌合している。具体的には、第二端子金具２０の接続部２２の上面に第三端子金具３０の接続部３２を積層し、取付孔３１を中心として接続部３２を反時計回り方向に回動させると、係止爪２６が下方に撓んだ状態で接続部３２の下面に摺接し、係止爪２６が係止孔３７の位置に至ると、係止爪２６が弾性的に復帰して係止孔３７に嵌合可能とされている。このとき、係止爪２６と係止孔３７の内壁が回動方向に係止することにより、両接続部２２，３２が回り止めされた状態に保持される。
【００３７】
（第四端子金具）
第四端子金具４０は、図４に示すように、第一端子金具１０と同様に、母材となる金属平板を所定の形状に打ち抜いて曲げ加工を施すことにより形成されており、取付孔４１が設けられた板状の接続部４２と、電線Ｗを固定している固定部４３とを備えて構成されている。なお、第四端子金具４０の構成のうち第一端子金具１０と対応する構成については、第一端子金具１０と同一の名称を用いるとともに十の桁を１から４に変更した符号を用いるものとする。なお、固定部４３については、第一端子金具１０の固定部１３と同様の構成であるため、その説明を省略するものとする。
【００３８】
接続部４２と固定部４３は取付孔４１の径方向に連なっており、共通の基板部４４を有している。この基板部４４は、一枚の金属平板からなる一層構造とされている。基板部４４の周縁には、タブ状をなす張り出し部４５が設けられている。この張り出し部４５には、係止孔４７が貫通して形成されている。この係止孔４７は、図６に示すように、第三端子金具３０と第四端子金具４０が積層された状態において第三端子金具３０の係止爪３６と嵌合可能とされている。
【００３９】
また、図１４に示すように、両取付孔３１，４１が同軸をなすように第三端子金具３０の接続部３２の上面に沿って第四端子金具４０の接続部４２をスライドさせながら積層すると、接続部４２の周縁が、連結部３２Ａの下面と接続部３２の上面との間に進入可能とされている。このとき、接続部４２の外周縁部が両連結部３２Ａと積層方向に係止することにより、両接続部３２，４２が積層状態に連結される。
【００４０】
さらに、図１５に示すように、取付孔４１を中心として接続部４２を時計回り方向に回動させると、係止爪３６が下方に撓んだ状態で張り出し部４５の下面に摺接し、係止爪３６が係止孔４７の位置に至ると、係止爪３６が弾性的に復帰して係止孔４７に嵌合可能とされている。このとき、係止爪３６と係止孔４７の内壁が回動方向に係止することにより、両接続部３２，４２が回り止めされた状態に保持される。
【００４１】
さて、各端子金具１０，２０，３０，４０がボルトＢによって一括してボルト締結された状態では、図１６に示すように、各端子金具１０，２０，３０，４０の各固定部１３，２３，３３，４３が同一方向に引き出され、並列に配置されている。これに伴って、各固定部１３，２３，３３，４３から後方に引き出された四本の電線Ｗについても同一方向に引き出されるようになっている。図７に示すように、第一端子金具１０の固定部１３と第三端子金具３０の固定部３３とは、積層方向に並んで配置され、第二端子金具２０の固定部２３と第四端子金具４０の固定部４３とは、積層方向に並んで配置されている。
【００４２】
また、図５に示すように、第三端子金具３０の固定部３３（第一端子金具１０の固定部１３）と第四端子金具４０の固定部４３（第二端子金具２０の固定部２３）とは、基準線Ｌに関してそれぞれ反対側にオフセットして配置されている。さらに、第三端子金具３０の固定部３３（第一端子金具１０の固定部１３）と第四端子金具４０の固定部４３（第二端子金具２０の固定部２３）とは、基準線Ｌと直交する方向（取付孔４１の径方向および積層方向の双方に直交する方向）において接続部４２の直径寸法よりも小さい領域内で並んで配置されている。両固定部３３，４３は、図７に示すように、規制片１５の幅寸法とほぼ同じ寸法だけ離間して配置されている。
【００４３】
さらに、第一端子金具１０の固定部１３が基板部１４の上面から上方に突出する突出寸法は、第二端子金具２０の接続部２２の板厚（金属平板二枚分の板厚）とほぼ同じに設定されている。同様に、第二端子金具２０の固定部２３が基板部２４の上面から上方に突出する突出寸法は、第三端子金具３０の接続部３２の板厚（金属平板二枚分の板厚）とほぼ同じに設定されている。換言すると、各固定部１３，２３，３３，４３の積層方向における寸法は、金属平板三枚分の板厚と同じかこれよりやや小さめに設定されている。
【００４４】
一方、第一端子金具１０の固定部１３と第三端子金具３０の固定部３３とは、金属平板三枚分の板厚だけ離れて配置されている。したがって、両固定部１３，３３を積層方向に並べて配置しても、両固定部１３，３３の間には金属平板一枚分の板厚に等しい隙間が形成されることになる。同様に、第二端子金具２０の固定部２３と第四端子金具４０の固定部４３とは、金属平板二枚分の板厚だけ離れて配置されている。したがって、両固定部２３，４３を積層方向に並べて配置した場合、両固定部２３，４３は互いに干渉しないものの、ほぼ隙間のない状態で積層方向に並んで配置されることになる。
【００４５】
本実施形態は以上のような構成であって、続いてその作用を説明する。まず、図６に示すように、各端子金具１０，２０，３０，４０を積層状態に連結して積層体５０を形成し、図１７に示すように、各取付孔１１，２１，３１，４１に共通のボルトＢを挿通する。これと併行して、図１８に示すように、規制片１５を規制孔６２に挿通し、ボルトＢを挿通孔６１に挿通する。そして、ボルトＢにナットＮを螺合させることにより、各端子金具１０，２０，３０，４０を一括してボルト締結する。これにより、各端子金具１０，２０，３０，４０が導通可能に接続され、端子台６０側にアース接続される。
【００４６】
また、以上においては、四つの端子金具１０，２０，３０，４０を組み合わせて使用する四枚使いの例を説明しているものの、図１９および図２０に示すように、第一端子金具１０と第四端子金具４０を積層状態に連結し、これらを端子台６０に対してボルト締結する二枚使いとすることもできる。あるいは、図２１に示すように、第一端子金具１０のみを端子台６０に対してボルト締結する一枚使いとすることもできる。
【００４７】
以上のように本実施形態では、各固定部１３，２３，３３，４３を同一方向に引き出すようにし、第一端子金具１０の固定部１３と第三端子金具３０の固定部３３を積層方向に並べて配置し、第二端子金具２０の固定部２３と第四端子金具４０の固定部４３を積層方向に並べて配置したから、各固定部１３，２３，３３，４３をできるだけ近づけて配置できる。また、第一端子金具１０の固定部１３及び第二端子金具２０の固定部２３並びに第三端子金具３０の固定部１３及び第四端子金具４０の固定部４３を、取付孔の径方向および積層方向の双方に直交する方向に並べて配置したから、各固定部１３，２３，３３，４３をより近づけて配置できる。
【００４８】
また、第一端子金具１０の固定部１３と第二端子金具２０の固定部２３を基準線Ｌに関してそれぞれ反対側にオフセットして配置したから、両固定部１３，２３を基準線Ｌに関して左右対称に配置できる。同様に、第三端子金具３０の固定部３３と第四端子金具４０の固定部４３を基準線Ｌに関してそれぞれ反対側にオフセットして配置したから、両固定部３３，４３を基準線Ｌに関して左右対称に配置できる。
【００４９】
＜他の実施形態＞
本発明は上記記述及び図面によって説明した実施形態に限定されるものではなく、例えば次のような実施形態も本発明の技術的範囲に含まれる。
（１）上記実施形態では第一端子金具１０の固定部１３と第三端子金具３０の固定部３３とが積層方向に並ぶ配置としているものの、本発明によると、第一端子金具１０の固定部１３と第四端子金具４０の固定部４３とが積層方向に並ぶ配置としてもよい。
【００５０】
（２）上記実施形態では第一端子金具１０の固定部１３と第三端子金具３０の固定部３３とが積層方向に並び、第二端子金具２０の固定部２３と第四端子金具４０の固定部４３とが積層方向に並ぶ配置としているものの、本発明によると、第一端子金具１０の固定部１３と第三端子金具３０の固定部３３のみが積層方向に並ぶ配置としてもよい。
【００５１】
（３）上記実施形態では第二端子金具２０の接続部２２が金属平板を二枚重ね合わせた構成とされているものの、本発明によると、金属平板を三枚重ね合わせた構成としてもよい。
【００５２】
（４）上記実施形態では第一端子金具１０の固定部１３と第二端子金具２０の固定部２３とが、取付孔の径方向および積層方向の双方に直交する方向に並んで配置されているものの、本発明によると、両固定部１３，２３が同方向に並ばないないように積層方向にずれて配置されている構成としてもよい。
【００５３】
（５）上記実施形態では両固定部１３，２３が基準線Ｌに関してそれぞれ反対側にオフセットして配置されているものの、本発明によると、両固定部１３，２３を基準線Ｌに関して同じ側に配置してもよい。
【符号の説明】
【００５４】
１０…第一端子金具
１１，２１，３１，４１…取付孔
１２，２２，３２，４２…接続部
１３，２３，３３，４３…固定部
１４，２４，３４，４４…基板部
２０…第二端子金具
３０…第三端子金具
４０…第四端子金具
Ｂ…ボルト
Ｌ…基準線
Ｗ…電線
【図１】
2012084342.tif 000003
【図２】
2012084342.tif 000004
【図３】
2012084342.tif 000005
【図４】
2012084342.tif 000006
【図５】
2012084342.tif 000007
【図６】
2012084342.tif 000008
【図７】
2012084342.tif 000009
【図８】
2012084342.tif 000010
【図９】
2012084342.tif 000011
【図１０】
2012084342.tif 000012
【図１１】
2012084342.tif 000013
【図１２】
2012084342.tif 000014
【図１３】
2012084342.tif 000015
【図１４】
2012084342.tif 000016
【図１５】
2012084342.tif 000017
【図１６】
2012084342.tif 000018
【図１７】
2012084342.tif 000019
【図１８】
2012084342.tif 000020
【図１９】
2012084342.tif 000021
【図２０】
2012084342.tif 000022
【図２１】
2012084342.tif 000023